(57)【特許請求の範囲】
【請求項１】
それぞれ複数の入出力回線を収容した複数のインタフェースユニットと、上記各インタフェースユニットと接続された現用系および予備系のスイッチ部とからなる通話路装置において、
上記各インタフェースユニットが、それぞれ入出力回線に接続され、第１、第２グループを形成する複数の回線対応部と、それぞれ複数の回線対応部の入出力信号を多重化して上記現用系または予備系のスイッチ部に結合するための現用系、予備系の少なくとも１対のスイッチインタフェースと、上記各回線対応部を上記現用系、予備系のスイッチインタフェースに接続するための配線が形成されたバックワイアリングボード（ＢＷＢ）とからなり、
上記ＢＷＢが、上記第１グループの回線対応部を現用系、第２グループの回線対応部を予備系として使用する第１の冗長構成では、上記第１、第２グループの各回線対応部を１対の現用系、予備系スイッチインタフェースの双方に接続し、上記第１、第２グループの回線対応部の全てを現用系として使用する第２の冗長構成では、上記第１グループの各回線対応部を上記１対の現用系、予備系スイッチインタフェースに接続し、上記第２グループの各回線対応部を他の１対の現用系、予備系スイッチインタフェースに接続するように、冗長構成の形態に応じた複数組の接続配線パターンを予め備え、
上記第２グループの各回線対応部が、上記予備系として使用される場合は、該回線対応部と結合される上記ＢＷＢ上の接続配線のうち、上記第１の冗長構成用の接続配線パターンを有効として、残りを無効とし、上記現用系として使用される場合は、上記第２の冗長構成用の接続配線パターンを有効として、残りを無効とする入出力選択手段を備えることを特徴とする通話路装置。
【請求項２】
前記各スイッチインタフェースが、それぞれ現用系入力ポートと予備系入力ポートを有し、上記何れかの入力ポートからの入力信号を選択的に出力する複数のセレクタと、上記各セレクタの出力信号を多重化して上記現用系または予備系のスイッチ部に入力するための信号多重化回路と、上記現用系または予備系のスイッチ部から出力された多重化信号を分離し、それぞれ現用系出力ポートと予備系出力ポートとを有する複数の分岐回路に選択的に分配するための多重化信号分離回路とからなり、
前記ＢＷＢの前記第１の冗長構成用の接続配線パターンが、前記第１グループの各回線対応部を前記１対の現用系、予備系スイッチインタフェースの何れかの現用系入出力ポートに接続し、前記第２グループの各回線対応部を上記１対の現用系、予備系スイッチインタフェースの何れかの予備系入出力ポートに接続し、前記第２の冗長構成用の接続配線パターンが、前記第２グループの各回線対応部を前記他の１対の現用系、予備系スイッチインタフェースの何れかの現用系入出力ポートに接続することを特徴とする請求項１に記載の通話路装置。
【請求項３】
前記各スイッチインタフェースが、ｎ個（ｎ＝整数）のセレクタとｎ個の分配回路を有し、
前記第１グループの各回線対応部が、入力回線からの受信信号を処理するための入力回線インタフェース回路と、上記入力回線インタフェース回路の出力信号を現用系出力ポートと予備系出力ポートに分岐して出力する分岐回路と、現用系入力ポートと予備系入力ポートの何れかで受信したスイッチインタフェース出力信号を選択的に出力する入力選択回路と、上記入力選択回路からの出力信号を処理し、出力回線に出力するための出力回線インタフェース回路とを有し、
前記第２グループの各回線対応部が、入力回線からの受信信号を処理するための入力回線インタフェース回路と、上記入力回線インタフェース回路の出力信号を現用系出力ポートとなる第１、第２出力ポートの何れかと、予備系出力ポートとなる第３、第４出力ポートの何れかに選択的に出力する出力選択回路と、現用系入力ポートとなる第１、第２の入力ポートと予備系入力ポートとなる第３、第４の入力ポートの何れかで受信したスイッチインタフェース出力信号を選択的に取り込む入力選択回路と、上記入力選択回路からの出力信号を処理し、出力回線に出力するための出力回線インタフェース回路とを有し、
前記ＢＷＢの前記第１の冗長構成用の接続配線パターンが、上記第１グループの第ｊ回線対応部（ｊ＝１〜ｎ）の現用系、予備系の出力ポートをそれぞれ前記１対の現用系、予備系スイッチインタフェースの第ｊセレクタの現用系入力ポートに接続し、上記回線対応部の現用系、予備系の入力ポートをそれぞれ上記１対の現用系、予備系スイッチインタフェースの第ｊ分岐回路の現用系出力ポートに接続し、上記第２グループの第ｊ回線対応部の第１、第３出力ポートをそれぞれ上記１対の現用系、予備系スイッチインタフェースの第ｊセレクタの予備系入力ポートに接続し、上記回線対応部の第１、第３入力ポートをそれぞれ上記１対の現用系、予備系スイッチインタフェースの第ｊ分岐回路の予備系出力ポートに接続し、前記第２の冗長構成用の接続配線パターンが、上記第２グループの第ｊ回線対応部の第２、第４出力ポートをそれぞれ前記他の１対の現用系、予備系スイッチインタフェースの第ｊセレクタの現用系入力ポートに接続し、上記回線対応部の第２、第４入力ポートをそれぞれ上記他の１対の現用系、予備系スイッチインタフェースの第ｊ分岐回路の現用系出力ポートに接続することを特徴とする請求項２に記載の通話路装置。
【請求項４】
前記各スイッチインタフェースが、ｎ個（ｎ＝整数）のセレクタとｎ個の分配回路を有し、
前記第１、第２グループの各回線対応部が、入力回線からの受信信号を処理するための入力回線インタフェース回路と、上記入力回線インタフェース回路の出力信号を現用系出力ポートとなる第１、第２出力ポートの何れかと、予備系出力ポートとなる第３、第４出力ポートの何れかに選択的に出力する出力選択回路と、現用系入力ポートとなる第１、第２の入力ポートと予備系入力ポートとなる第３、第４の入力ポートの何れかで受信したスイッチインタフェース出力信号を選択的に取り込む入力選択回路と、上記入力選択回路からの出力信号を処理し、出力回線に出力するための出力回線インタフェース回路とを有し、
前記ＢＷＢの前記第１の冗長構成用の接続配線パターンが、上記第１グループの第ｊ回線対応部（ｊ＝１〜ｎ）の第１、第３出力ポートをそれぞれ前記１対の現用系、予備系スイッチインタフェースの第ｊセレクタの現用系入力ポートに接続し、上記回線対応部の第１、第３入力ポートをそれぞれ上記１対の現用系、予備系スイッチインタフェースの第ｊ分岐回路の現用系出力ポートに接続し、上記第２グループの第ｊ回線対応部の第１、第３出力ポートをそれぞれ上記１対の現用系、予備系スイッチインタフェースの第ｊセレクタの予備系入力ポートに接続し、上記回線対応部の第１、第３入力ポートをそれぞれ上記１対の現用系、予備系スイッチインタフェースの第ｊ分岐回路の予備系出力ポートに接続し、前記第２の冗長構成用の接続配線パターンが、上記第２グループの第ｊ回線対応部の第２、第４出力ポートをそれぞれ前記他の１対の現用系、予備系スイッチインタフェースの第ｊセレクタの現用系入力ポートに接続し、上記回線対応部の第２、第４入力ポートをそれぞれ上記他の１対の現用系、予備系スイッチインタフェースの第ｊ分岐回路の現用系出力ポートに接続することを特徴とする請求項２に記載の通話路装置。
【請求項５】
現用系および予備系スイッチ部を有する冗長構成の通話路装置に適用されるインタフェースユニットにおいて、
それぞれ入出力回線に接続され、第１、第２グループを形成する複数の回線対応部と、それぞれ複数の回線対応部の入出力信号を多重化して上記現用系または予備系のスイッチ部に結合するための現用系、予備系の少なくとも１対のスイッチインタフェースと、上記各回線対応部を上記現用系、予備系のスイッチインタフェースに接続するための配線が形成されたバックワイアリングボード（ＢＷＢ）とからなり、
上記ＢＷＢが、上記第１グループの回線対応部を現用系、第２グループの回線対応部を予備系として使用する第１の冗長構成では、上記第１、第２グループの各回線対応部を１対の現用系、予備系スイッチインタフェースの双方に接続し、上記第１、第２グループの回線対応部の全てを現用系として使用する第２の冗長構成では、上記第１グループの各回線対応部を上記１対の現用系、予備系スイッチインタフェースに接続し、上記第２グループの各回線対応部を他の１対の現用系、予備系スイッチインタフェースに接続するように、冗長構成の形態に応じた複数組の接続配線パターンを予め備え、
上記第２グループの各回線対応部が、上記予備系として使用される場合は、該回線対応部と結合される上記ＢＷＢ上の接続配線のうち、上記第１の冗長構成用の接続配線パターンを有効として、残りを無効とし、上記現用系として使用される場合は、上記第２の冗長構成用の接続配線パターンを有効として、残りを無効とする入出力選択手段を備えることを特徴とするインタフェースユニット。
【発明の詳細な説明】
【０００１】
【発明の属する技術分野】
本発明は、スイッチ部を２重化した冗長構成の通話路装置（交換機）に関し、更に詳しくは、回線対応部（回線インタフェース部）の構成を１重化構成から２重化構成に容易に変更可能な通話路装置に関する。
【０００２】
【従来の技術】
冗長構成を持つ通話路装置は、例えば、図８に示すように、現用系（＃１）および予備系（＃０）のスイッチ部２ａ、２ｂと、複数のインタフェースユニット１―ｉ（ｉ＝１〜２ｍ）と、これらの要素を制御するための制御装置５とからなり、上記各インタフェースユニット１の入出力を上記現用系スイッチ部２ａと予備系スイッチ部２ｂの双方に接続した構成となっている。
【０００３】
各インタフェースユニット１−ｉは、入力回線と出力回線とからなる複数対の伝送路３０（３０−ｉ−１〜３０−ｉ−２ｎ）を収容しており、上記各入出力回線毎に設けた回線対応部（回線インタフェース：ＬＩＦ）１０―ｊおよび１１―ｊ（ｊ＝１〜ｎ）と、これらの回線対応部と接続された現用系（＃１）および予備系（＃０）のスイッチインタフェース２０ａ、２０ｂとからなり、現用系スイッチインタフェース２０ａは、入出力信号線２０Ａ−ｉによって、現用系スイッチ部２ａの第ｉ入出力ポートに接続され、予備系スイッチインタフェース２０ｂは、入出力信号線２０Ｂ−ｉによって、予備系スイッチ部２ｂの第ｉ入出力ポートに接続されている。現用系、予備系のスイッチ２ａ、２ｂは、それぞれ２ｍ個の入出力ポートを有し、インタフェースユニット１−１〜１−２ｍから入力ポートに入力された信号（パケット）を何れかの出力ポートに交換動作する。
【０００４】
図８は、スイッチ部だけでなく回線対応部も２重化した冗長構成通話路装置を示しており、各インタフェースユニット１−ｉにおいて、第１グループの回線対応部１０−１〜１０−ｎが現用系、第２グループの回線対応部１１−１〜１１−ｎが予備系となっている。上記各回線対応部は、第１、第２の入出力信号線を備えており、現用系スイッチインタフェース２０ａは、現用系回線対応部１０−１〜１０−ｎおよび予備系回線対応部１１−１〜１１−ｎの第１の入出力信号線を収容している。
【０００５】
上記現用系スイッチインタフェース２０ａは、交絡機能によって、通常時は、現用系回線対応部１０−１〜１０−ｎからの入力信号を選択し、これらの複数の入力信号を多重化して現用系スイッチ２ａの第ｉ入力ポートに供給すると共に、上記現用系スイッチ２ａの第ｉ出力ポートから出力された多重化信号を分離して、ユニット内の各回線対応部に振り分ける。
一方、予備系スイッチインタフェース２０ｂは、上記現用系、予備系回線対応部の第２の入出力信号線を収容し、通常時は、現用系回線対応部１０−１〜１０−ｎからの入力信号を多重化して予備系スイッチ２ｂの第ｉ入力ポートに供給し、予備系スイッチ２ｂの第ｉ出力ポートから出力された多重化信号を分離して、ユニット内の各回線対応部に振り分けている。
【０００６】
現用系、予備系の各回線対応部１０−１〜１０−ｎ、１１−１〜１１−ｎには、上述したように、現用系スイッチインタフェース２０ａと予備系スイッチインタフェース２０ｂの双方の出力信号が供給されているが、通常時は、制御装置５からの制御信号Ｃで制御される交絡機能によって、現用系スイッチインタフェース２０ａからの入力信号を選択して、それぞれに付随する伝送路３０に出力する。
【０００７】
上述した現用系、予備系の回線対応部１０―ｊ、１１―ｊ（ｊ＝１〜ｎ）をスイッチインタフェース２０ａ、２０ｂで交絡する構成の通話路装置においては、収容する回線数の増加に伴って、回線対応部とスイッチインタフェース（セレクタ機能部）との間の配線が複雑化すると言う問題がある。この点に関して、例えば、特開平７−７７５３号公報では、回線対応部を搭載したプリント基板と、上記スイッチインタフェースに相当した交絡部を形成するプリント基板とを、バックワイヤリングボード（ＢＷＢ）上に形成されたプリント配線で接続することによって、ハードウエア量を削減する提案がなされている。
【０００８】
【発明が解決しようとする課題】
然るに、通話路装置においては、図８に示した冗長構成以外に、回線対応部は１重化し、スイッチ部のみを２重化した冗長構成にも需要がある。
図８に示した通話路装置に使用したバックワイヤリングボード（ＢＷＢ）を生かして、回線対応部が１重化された冗長構成を実現しようとすると、例えば、図９に示すように、各インタフェースユニット１−ｉから、それまで予備系として利用されていた第２グループの回線対応部１１−１〜１１−ｎのパッケージ基板を除去し、現用系回線対応部１０−１〜１０−ｎのみを残した構造となる。
この場合、スイッチ２ａ、２ｂに接続されるインタフェースユニット１の個数は、図８と同様、２ｍ個であり、各インタフェースユニット内で回線対応部のパッケージ基板枚数が半減したにも関わらず、ＢＷＢサイズが不変のため、各インタフェースユニット内に大きな空間を残した極めて実装密度の低い構造となってしまう。
【０００９】
本発明の目的は、回線対応部とスイッチ部の双方を２重化した冗長構成と、スイッチ部のみを２重化した冗長構成との両方で高い実装密度で実現できる通話路装置を提供することにある。
本発明の他の目的は、同一のＢＷＢを使用して、回線対応部とスイッチ部が２重化された冗長構成と、スイッチ部のみが２重化された冗長構成の両方を高い実装密度で実現可能な通話路装置およびインタフェースユニットを提供することにある。
【００１０】
【発明を解決するための手段】
上記目的を達成するために、本発明は、それぞれ複数の入出力回線を収容した複数のインタフェースユニットと、上記各インタフェースユニットと接続された現用系および予備系のスイッチ部とからなる通話路装置において、
各インタフェースユニットが、それぞれ入出力回線に接続され、第１、第２グループを形成する複数の回線対応部と、それぞれ複数の回線対応部の入出力信号を多重化して上記現用系または予備系のスイッチ部に結合するための現用系、予備系の少なくとも１対のスイッチインタフェースと、上記各回線対応部を上記現用系、予備系のスイッチインタフェースに接続するための配線が形成されたバックワイアリングボード（ＢＷＢ）とからなり、
上記ＢＷＢが、上記第１グループの回線対応部を現用系、第２グループの回線対応部を予備系として使用する場合は、上記第１、第２グループの各回線対応部を１対の現用系、予備系スイッチインタフェースの双方に接続し、上記第１、第２グループの回線対応部の全てを現用系として使用する場合は、上記第１グループの各回線対応部を上記１対の現用系、予備系スイッチインタフェースに接続し、上記第２グループの各回線対応部を他の１対の現用系、予備系スイッチインタフェースに接続するように、冗長構成の形態に応じた複数組の接続配線パターンを予め備え、上記第２グループの各回線対応部が、その使用形態に応じて、該回線対応部と結合される上記ＢＷＢ上の接続配線のうちの一部を有効とし、残りを無効とする入出力選択手段を備えることを特徴とする。
【００１１】
更に詳述すると、本発明の通話路装置では、上記各スイッチインタフェースが、それぞれ現用系入力ポートと予備系入力ポートを有し、上記何れかの入力ポートからの入力信号を選択的に出力する複数のセレクタと、上記各セレクタの出力信号を多重化して上記現用系または予備系のスイッチ部に入力するための信号多重化回路と、上記現用系または予備系のスイッチ部から出力された多重化信号を分離し、それぞれ現用系出力ポートと予備系出力ポートとを有する複数の分岐回路に選択的に分配するための多重化信号分離回路とからなり、
上記ＢＷＢの接続配線パターンが、第１グループの各回線対応部を上記１対の現用系、予備系スイッチインタフェースの何れかの現用系入出力ポートに接続し、第２グループの各回線対応部を上記１対の現用系、予備系スイッチインタフェースの何れかの予備系入出力ポートと、他の１対の現用系、予備系スイッチインタフェースの何れかの現用系入出力ポートに接続することを特徴とする。
【００１２】
また、本発明の通話路装置では、上記各スイッチインタフェースが、ｎ個（ｎ＝整数）のセレクタとｎ個の分配回路を有し、
第１グループの各回線対応部が、入力回線からの受信信号を処理するための入力回線インタフェース回路と、上記入力回線インタフェース回路の出力信号を現用系出力ポートと予備系出力ポートに分岐して出力する分岐回路と、現用系入力ポートと予備系入力ポートの何れかで受信したスイッチインタフェース出力信号を選択的に出力する入力選択回路と、上記入力選択回路からの出力信号を処理し、出力回線に出力するための出力回線インタフェース回路とを有し、
第２グループの各回線対応部が、入力回線からの受信信号を処理するための入力回線インタフェース回路と、上記入力回線インタフェース回路の出力信号を現用系出力ポートとなる第１、第２出力ポートの何れかと、予備系出力ポートとなる第３、第４出力ポートの何れかに選択的に出力する出力選択回路と、現用系入力ポートとなる第１、第２の入力ポートと予備系入力ポートとなる第３、第４の入力ポートの何れかで受信したスイッチインタフェース出力信号を選択的に取り込む入力選択回路と、上記入力選択回路からの出力信号を処理し、出力回線に出力するための出力回線インタフェース回路とを有し、
上記ＢＷＢが、上記第１グループの第ｊ回線対応部（ｊ＝１〜ｎ）の現用系、予備系の出力ポートをそれぞれ前記１対の現用系、予備系スイッチインタフェースの第ｊセレクタの現用系入力ポートに接続し、上記回線対応部の現用系、予備系の入力ポートをそれぞれ上記１対の現用系、予備系スイッチインタフェースの第ｊ分岐回路の現用系出力ポートに接続し、上記第２グループの第ｊ回線対応部の第１、第３出力ポートをそれぞれ上記１対の現用系、予備系スイッチインタフェースの第ｊセレクタの予備系入力ポートに接続し、上記回線対応部の第１、第３入力ポートをそれぞれ上記１対の現用系、予備系スイッチインタフェースの第ｊ分岐回路の予備系出力ポートに接続し、上記回線対応部の第２、第４出力ポートをそれぞれ前記他の１対の現用系、予備系スイッチインタフェースの第ｊセレクタの現用系入力ポートに接続し、上記回線対応部の第２、第４入力ポートをそれぞれ上記他の１対の現用系、予備系スイッチインタフェースの第ｊ分岐回路の現用系出力ポートに接続するように、前記接続配線パターンを備えることを特徴とする。
【００１３】
尚、使用部品を共通化し、通話路装置のコストを低減するために、上記第１グループの回線対応部として、第２グループと同様、第１〜第４の出力ポートと、第１〜第４の入力ポートを備えたともの適用を適用してもよい。この場合、ＢＷＢでは、例えば、第１グループの第ｊ回線対応部（ｊ＝１〜ｎ）の第１、第３出力ポートをそれぞれ上記１対の現用系、予備系スイッチインタフェースの第ｊセレクタの現用系入力ポートに接続し、上記回線対応部の第１、第３入力ポートをそれぞれ上記１対の現用系、予備系スイッチインタフェースの第ｊ分岐回路の現用系出力ポートに接続するように接続配線パターンを形成すればよい。
【００１４】
本発明によれば、各インタフェースユニットのＢＷＢが、冗長構成の形態に応じた複数組の接続パターンを予め備えているため、回線対応部を２重化する場合は、現用系と予備系の１対のスイッチインタフェースを使用し、回線対応部を１重化する場合は、現用系と予備系に更に１対のスイッチインタフェースを追加することによって、各インタフェースユニットに収容可能な回線対応部の全てを有効に利用した形で、冗長構成の通話路装置を構築できる。
また、本発明によれば、回線対応部を１重化した場合、各インタフェースユニットが、現用系と予備系で２対のスイッチインタフェースを備えた結果、スイッチ部に対して２系列の多重化信号を入出力できるようになるため、回線対応部を２重化した場合に比較してインタフェースユニット数が半減し、通話路装置を小型化できるという利点がある。
【００１５】
【発明の実施の形態】
以下、本発明の実施の形態を図面を参照して説明する。
図１は、回線対応部とスイッチ部の双方を２重化した本発明による冗長構成通話路装置の１実施例を示す。
ここに示した通話路装置は、図８に示した従来装置と同様に、それぞれ２ｍ個の入出力ポートを備えた現用系（＃１）と予備系（＃０）のスイッチ部２ａ、２ｂと、スイッチ部の入出力ポート数２ｍと同数のインタフェースユニット１―ｉ（ｉ＝１〜２ｍ）と、これらの要素を制御するための制御装置５とからなり、上記各インタフェースユニット１―ｉが、入出力信号線２０Ａ−ｉ、２０Ｂ−ｉを介して、現用系スイッチ部２ａと予備系スイッチ部２ｂの双方に接続された構成となっている。
【００１６】
上記各インタフェースユニット１−ｉは、現用系となる第１グループの回線対応部１０―ｊ（ｊ＝１〜ｎ）と、予備系となる第２グループの回線対応部１１―ｊ（ｊ＝１〜ｎ）と、現用系（＃１）スイッチインタフェース２０ａと、予備系（＃０）スイッチインタフェース２０ｂと、上記各回線対応部をスイッチインタフェース２０ａ、２０ｂに接続するためのプリント配線を有するＢＷＢ４０と、制御装置５からの指令Ｃに応じて上記各回線対応部とスイッチインタフェースを制御するためのプロセッサ５０とからなり、上記現用系スイッチインタフェース２０ａが、入出力信号線２０Ａ−ｉによって、現用系スイッチ部２ａの第ｉ入出力ポートに、また、予備系スイッチインタフェース２０ｂが、入出力信号線２０Ｂ−ｉによって、予備系スイッチ部２ｂの第ｉ入出力ポートに接続されている。
【００１７】
本発明の特徴の１つは、ＢＷＢ４０に、回線対応部を２重化した場合に必要な第１の配線パターンと、回線対応部を１重化した場合に必要な第２の配線パターンとを予め形成しておき、回線対応部を１重化したい場合は、図２に示すように、現用系（＃１）スイッチインタフェース２１ａと予備系（＃０）スイッチインタフェース２１ｂを追加することによって、２ｎ個の回線対応部１０−１〜１０−ｎ、１１―１〜１１−ｎを全て現用系として利用できるようにした点にある。
【００１８】
回線対応部を１重化した場合は、２０ａ、２０ｂが、回線対応部群１０−１〜１０−ｎ用の現用系、予備系スイッチインタフェースとなり、２１ａ、２１ｂが、回線対応部群１１―１〜１１−ｎ用の現用系、予備系スイッチインタフェースとなる。この場合、各インタフェースユニット１−ｉが、現用系と予備系でそれぞれ２系列ずつの入出力信号線２０Ａ−ｉと２１Ａ―ｉ、２０Ｂ−ｉと２１Ｂ−ｉを備えることになるため、２ｍ個の入出力ポートを持つ現用系、予備系のスイッチ２ａ、２ｂに対して、図１の装置構成よりも少数の合計ｍ個のインタフェースユニットが接続されることになる。
【００１９】
本発明の他の特徴は、ＢＷＢ４０に形成された第１、第２の配線パターンを選択的に使用するために、各回線対応部１０、１１に、冗長構成の形態に応じてスイッチインタフェースとの間の入出力信号線を使い分ける入出力選択回路を設けたことにある。
【００２０】
図３は、２重化構成では予備系、１重化構成では現用系として、２つの使用形態をもつ第２グループの回線対応部１１の構成を示す。
回線対応部１１は、入力回線３０−ＩＮからの受信信号を処理する入力回線インタフェース回路１２と、該入力回線インタフェース回路１２からの出力信号が供給される第１、第２の出力選択回路（セレクタ）１３ａ、１３ｂと、それぞれ２つの入力信号のうちの一方を選択する第１、第２の入力選択回路１４ａ、１４ｂと、これらの入力選択回路の出力のうちの一方を選択する第３の入力選択回路１５と、該第３の入力選択回路１５の出力信号を処理して出力回線３０−ＯＵＴに送信する出力回線インタフェース回路１６とからなる。
【００２１】
上記第１の出力選択回路１３ａは、現用系スイッチインタフェース（２０ａまたは２１ａ）への信号供給線を選択するためのものであり、入力回線インタフェース回路１２から供給された信号を、第１出力ポートＳ１と第２出力ポートＳ２の何れかに選択的に出力する。また、上記第２の出力選択回路１３ｂは、予備系のスイッチインタフェース（２０ｂまたは２１ｂ）への信号供給線を選択するためのものであり、入力回線インタフェース回路１２からの出力信号を、第３出力ポートＳ３と第４出力ポートＳ４の何れかに選択的に出力する。
一方、上記第１の入力選択回路１４ａは、現用系スイッチインタフェースと接続される第１入力ポートＳ１'と第２入力ポートＳ２'の何れか一方を選択し、第２の入力選択回路１４ｂは、予備系スイッチインタフェースに接続される第３入力ポートＳ３'と第４入力ポートＳ４'の何れか一方を選択する。
【００２２】
これらの選択回路１３ａ、１３ｂ、１４ａ、１４ｂ、１５は、プロセッサ５０、または、図示しない工注機構によって生成され、信号線５１を介して与えられるセレクト信号によって、上記一方の出力ポートと入力ポートを固定的に選択動作する。
例えば、出力選択回路１３ａと１３ｂが、それぞれ第１、第３の出力ポートＳ１、Ｓ３を選択しているとき、入力選択回路１４ａと１４ｂも、それぞれ第１、第３の入力ポートＳ１'、Ｓ３'を選択する。これとは逆に、出力選択回路１３ａ、１３ｂが、それぞれ第２、第４の出力ポートＳ２、Ｓ４を選択しているとき、入力選択回路１４ａ、１４ｂも、それぞれ第２、第４の入力ポートＳ２'、Ｓ４'を選択する。選択回路１５は、通常時は、第１の入力選択回路１４ａから出力される現用系スイッチインタフェースからの出力信号を選択して、出力回線インタフェース回路１５に供給する。
【００２３】
第１グループの回線対応部１０は、冗長構成の形態に関係なく、現用系、予備系の１対のスイッチインタフェース２０ａ、２０ｂと接続され、追加されたスイッチインタフェース２１ａ、２１ｂに接続されることはない。従って、第１グループの回線対応部１０は、図３の構成から出力選択回路１３ａ、１３ｂと入力選択回路１４ａ、１４ｂを削除し、入力回線インタフェース回路１２の出力を２つの出力ポートＳ１、Ｓ３に分岐すると共に、２つの入力ポートＳ１'、Ｓ３'からの入力信号の一方を選択回路１５で選択して、出力回線インタフェース１６に供給する構成であればよい。しかしながら、以下の実施例では、部品を共通化するために、第１グループの回線対応部１０にも、図３に示した第２グループの回線対応部１１と同様の構成を適用する。
【００２４】
図４は、スイッチインタフェース２０（２０ａ、２０ｂ）の構成を示す。スイッチインタフェース２１（２１ａ、２１ｂ）にも同様の構成を適用する。
スイッチインタフェース２０は、それぞれ第１、第２の入力ポートＰ１、Ｐ２を備え、そのうちの一方の入力信号を選択する複数の入力選択回路２１−１〜２１−ｎと、これらの入力選択回路から並列的に供給された入力信号を多重化し、信号線２００に時系列的に出力する信号多重化回路２２と、信号線２００'から時系列的に供給された多重化信号を分離し、複数の分岐回路２４−１〜２４−ｎに順次に振り分ける多重化信号分離回路２３とからなる。
【００２５】
上記各分岐回路２４−ｉ（ｉ＝１〜ｎ）は、分離回路２３から供給された出力信号を第１、第２の出力ポートＰ１'、Ｐ２'の双方に送出する。また、各入力選択回路２１−ｉは、プロセッサ５０、または図示しない工注機構によって生成され、信号線５２を介して供給されるセレクト信号に応じて、入力ポートＰ１とＰ２の何れか一方を固定的に選択する。
図１では、上記多重化回路の出力信号線２００と分離回路の入力信号線２００'をまとめて、入出力信号線２０Ａまたは２０Ｂで示してある。また、第１の入出力ポートＰ１、Ｐ１'に接続された信号線と、第２の入出力ポートＰ２、Ｐ２'に接続された信号線をそれぞれ１本の入出力信号線で図示してある。
【００２６】
図５は、回線対応部とスイッチ部の双方を２重化した図１の冗長構成におけるＢＷＢ４０の有効配線パターンを示す。
ＢＷＢ４０には、実線と破線で示すように、第１、第２グループで合計２ｎ個の回線対応部１０−１〜１０−ｎ、１１−１〜１１−ｎを冗長構成の形態に応じて１対または２対のスイッチインタフェースと接続できるように、予め複数組の接続配線パターンが形成されている。
【００２７】
ここでは、図面を簡単化するために、回線対応部１０、１１からスイッチインタフェース２０ａ、２０ｂに向かうポートＳ１〜Ｓ４とポートＰ１、Ｐ２との間の接続配線のみを示してある。各回線対応部１０、１１では、図３で説明したように、出力選択回路１３ａ、１３ｂと入力選択回路１４ａ、１４ｂが互いに対をなした選択動作をしているため、スイッチインタフェース２０ａ、２０ｂから各回線対応部１０、１１の入力選択回路１４ａ、１４ｂに向かうポートＳ１'〜Ｓ４'とポートＰ１'、Ｐ２'との間の接続配線も、上記出力ポートＳ１〜Ｓ４とポートＰ１、Ｐ２との間の配線と同様の接続関係で、ＢＷＢ４０上に形成される。
【００２８】
回線対応部を２重化した場合、現用系となる第１グループの回線対応部１０−１〜１０−ｎと予備系となる第２グループの回線対応部１１−１〜１１−ｎでは、選択回路１３ａ、１４ａが第１の入出力ポートＳ１、Ｓ１'を選択し、選択回路１３ｂ、１４ｂが第３の入出力ポートＳ３、Ｓ３'を選択するように、セレクト信号が与えられる。この場合、各回線対応部の第２、第４の入出力ポートＳ２、Ｓ２'、Ｓ４、Ｓ４'に接続された配線パターンは無効となり、回線対応部１０−１〜１０−ｎ、１１−１〜１１−ｎとスイッチインタフェース２０ａ、２０ｂは、実線で示した配線パターンによって接続された状態となる。
【００２９】
すなわち、現用系スイッチインタフェース２０ａでは、入力選択回路２１−ｊ（ｊ＝１〜ｎ）の第１入力ポートＰ１に現用系回線対応部１０−ｊ（ｊ＝１〜ｎ）の第１出力ポートＳ１の信号が供給され、第２入力ポートＰ２に予備系回線対応部１１−ｊ（ｊ＝１〜ｎ）の第１出力ポートＳ１の信号が供給される。このうち、第１入力ポートＰ１からの入力信号が選択されて、多重化回路２２に供給され、上記多重化回路２２で多重化された信号が、入出力信号線２０Ａ−ｉを介して、現用系スイッチ部２ａの第ｉ入力ポートに入力される。
【００３０】
上記現用系スイッチ部２ａで交換処理された信号は、何れかの出力ポートから、入出力信号線２０Ａ−ｋを介して、インタフェースユニット１−ｋの現用系スイッチインタフェース２０ａに入力され、図４に示した分離回路２３によって、分岐回路２４−１〜２４−ｎに振り分けられる。上記各分岐回路２４−１〜２４−ｎは、スイッチ出力信号をそれぞれの第１、第２の出力ポートＰ１'、Ｐ２'に並列的に出力する。ここで、分岐回路２４−ｊの出力ポートＰ１'からの出力信号は、現用系回線対応部１０−ｊの第１入力ポートＳ１'に供給され、出力ポートＰ２'からの出力信号は、予備系回線対応部１１−ｊの第１入力ポートＳ１'に供給される。従って、現用系スイッチインタフェース２０ａから現用系、予備系の各回線対応部に向かう信号線は、図５のＢＷＢ４０に実線で示した各信号線と同様の配線パターンとなる。
【００３１】
一方、予備系スイッチインタフェース２０ｂでは、各入力選択回路２１−ｊ（ｊ＝１〜ｎ）の第１入力ポートＰ１に現用系回線対応部１０−ｊ（ｊ＝１〜ｎ）の第３出力ポートＳ３からの信号が供給され、第２入力ポートＰ２に予備系回線対応部１１−ｊ（ｊ＝１〜ｎ）の第３出力ポートＳ３からの信号が供給され、このうち、第１入力ポートＰ１に供給された現用系回線対応部１０−ｊからの入力信号が選択されて、多重化回路２２に入力される。多重化回路２２から出力された信号は、入出力信号線２０Ｂ−ｉを介して予備系スイッチ部２ｂの第ｉ入力ポートに入力され、交換処理された信号が、何れかのインタフェースユニット１−ｋの予備系スイッチインタフェース２０ｂに供給される。
予備系スイッチインタフェース２０ｂでは、現用系スイッチインタフェース２０ａと同様に、上記予備系スイッチ部２ｂからの出力信号を処理し、各分岐回路２４−ｊ（ｊ＝１〜ｎ）の第１、第２出力ポートＰ１'、Ｐ２'に出力する。分岐回路２４−ｊからの２つの出力信号は、互いに対応関係にある現用系回線対応部１０−ｊと予備系回線対応部１１−ｊの第３入力ポートＳ３'にそれぞれ入力される。
【００３２】
この結果、上記現用系、予備系の各回線対応部では、第１入力ポートＳ１'に現用系スイッチインタフェース２０ａの出力信号が入力され、第３入力ポートＳ３'に予備系スイッチインタフェース２０ｂの出力信号が入力される。この場合、図３に示したように、選択回路１５に入力選択回路１４ａの出力を選択させることによって、現用系スイッチ２ａの出力信号を出力回線インタフェース回路１６に供給する。
【００３３】
尚、現用系スイッチ２ａの障害が発生した場合、制御装置５から各インタフェースユニットのプロセッサ５０に指令を与え、プロセッサ５０から、信号線５１を介して、各回線対応部１０、１１の選択回路１５に切り替え信号を与えることによって、入力選択回路１４ｂから出力される予備系スイッチ２０ｂの出力信号を出力回線インタフェース回路１６に供給するようにすればよい。
【００３４】
また、現用系の何れかの入出力回線３０−ｉ−ｊ で障害が発生した場合、上記障害回線を収容しているインタフェースユニット１−ｉにおいて、信号線５２を介して、スイッチインタフェース２０ａ、２０ｂの選択回路２１−ｊに切り替え信号を与えることによって、第２の入力ポートから入力される予備系回線対応部１１−ｊの入力信号を現用系、予備系の各スイッチ部２ａ、２ｂに供給するようにすればよい。この場合、障害回線を収容しているインタフェースユニット１−ｉにおいて、スイッチインタフェース２０ａ、２０ｂの全ての選択回路２１−ｊ（ｊ＝１〜ｎ）で入力を切り替えることによって、インタフェースユニット単位で、現用系の入出力回線から予備系の入出力回線に切り替えることもできる。
【００３５】
図６は、回線対応部を１重化して、スイッチ部のみを２重化した図２の冗長構成におけるＢＷＢ４０の有効配線パターンを示す。
本発明では、スイッチ部のみを２重化する場合、現用系と予備系のスイッチインタフェースとして、２０ａと２０ｂ、２１ａと２１ｂの２対のスイッチインタフェースを使用する。また、インタフェースユニットに収容された２ｎ個の回線対応部のうち、第１グループの回線対応部１０−１〜１０−ｎは、図５と同様の配線パターンで、第１の現用系、予備系スイッチインタフェース２０ａ、２０ｂに接続し、第２グループの回線対応部１１−１〜１１−ｎは、図５では破線で示されていた配線パターンによって、第２の現用系、予備系スイッチインタフェース２１ａ、２１ｂに接続する。
【００３６】
この場合、第２グループの回線対応部１１−１〜１１−ｎでは、図３に示した出力選択回路１３ａ、１３ｂが、それぞれ第２、第４の出力ポートＳ２、Ｓ４を選択し、入力選択回路１４ａ、１４ｂが、それぞれ第２、第４の入力ポートＳ２'、Ｓ４'を選択するように、セレクト信号を与えておく。これによって、第２グループ回線対応部１１−１〜１１−ｎでは、第１、第３の入出力ポートＳ１、Ｓ１'、Ｓ３、Ｓ３'に接続された配線が無効となるため、第１の現用系スイッチインタフェース２０ａには、第１グループ回線対応部１０−１〜１０−ｎの第１の入出力ポートＳ１、Ｓ１'だけが接続され、第１の予備系スイッチインタフェース２０ｂには、上記第１グループ回線対応部１０−１〜１０−ｎの第３の入出力ポートＳ３、Ｓ３'だけが接続された状態となる。
【００３７】
新たに加わった第２の現用系スイッチインタフェース２１ａには、図６で実線で示すように、第２グループの回線対応部１１−１〜１１−ｎの第２の入出力ポートＳ２、Ｓ２'を接続し、第２の予備系スイッチインタフェース２１ｂには、上記第２グループの回線対応部１１−１〜１１−ｎの第４の入出力ポートＳ４、Ｓ４'を接続する。
上記構成によって、スイッチインタフェース２０ａ、２１ａから、それぞれｎ回線分の信号容量をもつ２系列の現用系入出力信号線２０Ａ―ｉ、２１Ａ−ｉを引き出し、スイッチインタフェース２０ｂ、２１ｂから、それぞれｎ回線分の信号容量をもつ２系列の予備用系入出力信号線２０Ｂ−ｉ、２１Ｂ−ｉを引き出すことが可能となる。
【００３８】
図１、図２に示した通話路装置を製品化する場合、例えば、スイッチ部２ａ、２ｂを構成するプリント基板と制御装置５を構成するプリント基板とを１つのユニット（スイッチユニット）にまとめ、各インタフェースユニット１−ｉ毎に、回線対応部１０−１〜１０−ｎ、１１−１〜１１−ｎ用のプリント基板とスイッチインタフェース２０、２１用のプリント基板をブックシェルフ構造でユニット化し、スイッチユニットと各インタフェースユニット間を入出力信号線２０Ａ−ｉ、２０Ｂ−ｉ、２１Ａ−ｉ、２１Ｂ−ｉ（ｉ＝１〜ｍまたは１〜２ｍ）および制御信号線（バス）Ｃでケーブル接続する。
【００３９】
図７は、インタフェースユニット１−ｉの実装形態を１例を示す。
回線対応部とスイッチ部の双方を２重化した冗長構成を採用する場合、ＢＷＢ４０に対して、回線対応部用の複数のプリント基板１０−１〜１０−ｎ、１１−１〜１１−ｎと、スイッチインタフェース用のプリント基板２０ａ、２０ｂと、プロセッサ用のプリント基板５０とをブックシェルフ実装する。プロセッサ基板５０から各インタフェースユニットおよびスイッチインタフェースへの制御信号線５１、５２は、上記ＢＷＢ４０を介して配線できる。
【００４０】
回線対応部を１重化した冗長構成を採用したい場合、図示したように、現用系の第２のスイッチインタフェース用のプリント基板２１ａと、予備系の第２のスイッチインタフェース用のプリント基板２１ｂを追加実装し、各インタフェースユニットとスイッチユニットとの間の入出力信号線のケーブル配線を図２に示すように変更すればよい。全てのインタフェースユニットで回線対応部を１重化した場合、インタフェースユニットをｍ個に半減できるため、通話路装置の筐体寸法を大幅に小型化できる。
【００４１】
上述したように、本発明によれば、スイッチ部に冗長構成をもつ通話路装置において、インタフェースユニット毎に回線対応部を２重化構成から１重化構成に、あるいはその逆に、容易に変更できる。実施例では、インタフェースユニットの全てで回線対応部を２重化構成とした例（図１）と、インタフェースユニットの全てで回線対応部を１重化構成とした例（図２）について示したが、複数のインタフェースユニットのうちの一部を回線対応部２重化構成とし、残りを回線対応部１重化構成とすることもできる。
【００４２】
【発明の効果】
以上の実施例から明らかなように、本発明によれば、回線対応部の冗長化形態を変更が容易であり、回線対応部を２重化した場合でも１重化した場合でも、各インタフェースユニットを高い実装密度で構成できるため、冗長構成をもつ通話路装置の小型化に有効となる。
【図面の簡単な説明】
【図１】スイッチ部と回線対応部の双方を２重化した本発明による冗長構成通話路装置の１実施例を示すブロック図。
【図２】スイッチ部を２重化し、回線対応部のみを１重化した本発明による冗長構成通話路装置の１実施例を示すブロック図。
【図３】図１、図２における回線対応部１１（１１−１〜１１−ｎ）の構成を示す図。
【図４】図１、図２におけるスイッチインタフェース２０（２０ａ、２０ｂ）および２１（２１ａ、２１ｂ）の構成を示す図。
【図５】図１の冗長構成を実現する場合のＢＷＢ４０による回線対応部とスイッチインタフェースとの間の接続関係を示す図。
【図６】図２の冗長構成を実現する場合のＢＷＢ４０による回線対応部とスイッチインタフェースとの間の接続関係を示す図。
【図７】本発明におけるインタフェースユニット１の実装形態の１例を示す図。
【図８】スイッチ部と回線対応部の双方を２重化した従来技術による通話路装置の構成を示すブロック図。
【図９】スイッチ部を２重化し、回線対応部のみを１重化した従来技術による通話路装置の構成を示すブロック図。
【符号の説明】
１…インタフェースユニット、２ａ…現用系スイッチ部、
２ｂ…予備系スイッチ部、５…制御装置、１０、１１…回線対応部、
２０、２１…スイッチインタフェース、４０…ＢＷＢ、５０…プロセッサ。
【図１】
0004220646.tif 000002
【図２】
0004220646.tif 000003
【図３】
0004220646.tif 000004
【図４】
0004220646.tif 000005
【図５】
0004220646.tif 000006
【図６】
0004220646.tif 000007
【図７】
0004220646.tif 000008
【図８】
0004220646.tif 000009
【図９】
0004220646.tif 000010